(57)【特許請求の範囲】
【請求項１】
窓面を払拭するためのワイパアームを構成するアームサポートと、該アームサポートの一部または全部を覆うカバーとを備えてなるワイパ装置において、
前記アームサポートに、該アームサポートとカバーとのあいだに浸入した水を誘導するための誘導手段を形成するにあたり、
前記アームサポートは、ワイパアームの払拭揺動をするためのリンクが枢結されたものとし、
前記誘導手段は、アームサポート表面の水をリンク枢結部を避けるように誘導する誘導路であるワイパ装置におけるワイパアームの防水構造。
【請求項２】
請求項１において、誘導路は、アームサポートの表面を左右に横切る状態で表側に突出状に一体形成されるリブで構成されているワイパ装置におけるワイパアームの防水構造。
【請求項３】
請求項１または２において、誘導路は、アームサポートの側縁部から突出する突起体で構成されているワイパ装置におけるワイパアームの防水構造。
【請求項４】
請求項１乃至３の何れか１において、誘導路によってリンク枢結部を避けるように誘導された水は、カバーに設けた係止爪を介して窓面側に誘導されるように構成されているワイパ装置におけるワイパアームの防水構造。
【発明の詳細な説明】
【０００１】
【発明の属する技術分野】
本発明は、乗用車、バス、トラック等の車両の窓面を払拭するためのワイパ装置におけるワイパアームの防水構造の技術分野に属するものである。
【０００２】
【従来の技術】
一般に、この種ワイパ装置のなかには、ブレードの払拭面積を広く確保するため、例えば特表平１０−５０７１４３号公報に示されるようにワイパアームを構成するアームサポートにリンクを枢結したものがある。そしてこのようなものでは、アームサポートのリンク枢結部の回動が損なわれたり、異常摩耗や腐食に対する保護や防止のため防水構造を実施することが要求される。そのためアームサポートにカバーを設けてリンク枢結部を覆うことが提唱される。
【０００３】
【発明が解決しようとする課題】
ところでワイパアームが上反転位置に移動する過程では、ブレードにより払拭された水はブレードと共に上反転位置側に押しやられながらブレードに沿って流れ落ちることになるが、ワイパアームが上反転位置に近づくほど前記流れ落ちる雨水はアームサポート側に向いて流れることになる。この結果、ブレードからワイパアームの先端側（アームピース）を伝わってきた雨水によってアームサポートが被水し、この被水した雨水が上記カバー体内部まで浸入してリンク枢結部に達し、これによってリンク枢結部の耐久性等が損なわれてしまうという問題があり、ここに本発明が解決しようとする課題があった。
【０００４】
【課題を解決するための手段】
本発明は、上記の如き実情に鑑み、これらの課題を解決することを目的として創作されたものであって、窓面を払拭するためのワイパアームを構成するアームサポートと、該アームサポートの一部または全部を覆うカバーとを備えてなるワイパ装置において、前記アームサポートに、該アームサポートとカバーとのあいだに浸入した水を誘導するための誘導手段を形成するにあたり、前記アームサポートは、ワイパアームの払拭揺動をするためのリンクが枢結されたものとし、前記誘導手段は、アームサポート表面の水をリンク枢結部を避けるように誘導する誘導路であるワイパ装置におけるワイパアームの防水構造である。
そして、このようにすることにより、アームサポート表面に流れる水を積極的に外部に排水でき、さらに、リンク枢結部への被水を防止できる。
このものにおいて、誘導路は、アームサポートの表面を左右に横切る状態で表側に突出状に一体形成されるリブで構成することができ、これによって、アームサポート表面に流れる水を積極的に誘導することができる。
さらにこのものにおいて、誘導路は、アームサポートの側縁部から突出する突起体で構成することができ、これによって、水を窓面側に排出しやすくできる。
さらにまた、このものにおいて、誘導路によってリンク枢結部を避けるように誘導された水は、カバーに設けた係止爪を介して窓面側に誘導されるように構成することができ、これによって、別途滴下誘導片を設ける必要がなく、部材の兼用化が計れる。
【０００５】
【発明の実施の形態】
次に、本発明の実施の形態を図１〜図９の図面に基づいて説明する。
図面において、１は車両に設けられるワイパ装置を構成するワイパアームであって、該ワイパアーム１は、躯体側に取付けられるアームサポート２と、該アームサポート２にピン軸２ａを介して支持（ブレード側連結部ＢＪ）され、窓面から離れる方向に揺動自在なアームシャンク３と、該アームシャンク３に基端部が一体的に取付けられ、先端部に窓面を払拭するワイパブレード（図示せず）が取付けられるアームピース４と、該アームピース４基端部とアームサポート２先端部とのあいだに介装される付勢弾機５等の部材装置を備えて構成されていること等は何れも従来通りの構成となっている。
【０００６】
一方、６は図示しないワイパモータの駆動に基づいて正逆揺動（回動）するワイパ軸であって、該ワイパ軸６には、第一サブサポートリンク７の基端部が一体的に連結されている。そして、この第一サブサポートリンク７の先端部は、枢軸７ａを介して前記アームサポート２の基端部の窓面と対向する裏面において回動自在に連結（枢結）されている。ここで前記枢結部は、ワイパ軸６の駆動をアームサポート２に動力伝動してワイパアーム１を払拭揺動するためのものであり、本発明のリンク枢結部に相当し、これを第一リンク枢結部Ｊ１とし、詳細については後述する。さらに、アームサポート２の第一リンク枢結部Ｊ１の先端側の裏面には、略Ｌ字状に折曲した第二サブサポートリンク８の先端部がリンク側枢軸８ａを介して回動自在に連結（枢結）されている。該枢結部も第一リンク枢結部Ｊ１と同様に、ワイパアーム１を払拭揺動するためのものであり、本発明のリンク枢結部に相当し、これを第二リンク枢結部Ｊ２として詳細については後述する。このうように、本実施の形態のアームサポート２には都合二個の第一、第二リンク枢結部Ｊ１、Ｊ２が設けられている。
そして、前記第二サブサポートリンク８の基端部は、車両（躯体）側に躯体側枢軸８ｂを介して回動自在に連結され、これによって、ワイパ軸６、第一サブサポートリンク７、アームサポート２、第二サブサポートリンク８とがそれぞれ連動連結され、而して四節リンク機構が構成されている。
【０００７】
前記四節リンク機構において、ワイパ軸６が正逆駆動したとき、第一サブサポートリンク７は図５において矢印Ａ方向に往復揺動し、これに伴い、アームサポート（ワイパアーム１）２は、ワイパ軸６、第二サブサポートリンク８の躯体側枢軸８ｂとを支点として、第一、第二サブサポートリンク７、８と共にリンク作動を行って図５において矢印Ｂ方向の往復揺動がなされるように設定されている。このとき、アームサポート２は上方向に変位する状態で往復揺動を行い、これによって、図１に示すようにブレードによる窓面の払拭範囲Ｓが窓面のコーナー部にまで至るように広がり、払拭面積の拡大がなされるように設定されている。因みに、図５において、アームサポート２は、二点鎖線で示される下反転位置と、実線で示される上反転位置とのあいだを往復揺動する設定となっている。
【０００８】
さて、前記アームサポート２には本発明が実施された防水構造が備えられるが、アームサポート２の防水構造を説明するにあたり、説明の便宜上、アームサポート２が上反転位置に位置し、ブレード連結部ＢＪと、第一、第二リンク枢結部Ｊ１、Ｊ２とが上下に並列する位置関係となっている状態に基づいて説明する。
前記アームサポート２は板面が窓面と対向する上下方向に長い部材で形成されており、上端（先端）部に形成される支持部２ｂに、前記ピン軸２ａを介してアームシャンク３の基端（下端）部が揺動自在に支持され、これによって前記ブレード連結部ＢＪが構成されている。さらに、アームサポート２のブレード連結部ＢＪと第一リンク枢結部Ｊ１とのあいだには、裏面を除く面部、つまり表面と左右両側面に段差部２ｃが形成され、該段差部２ｃより下方部位（基端部位）が肉薄状になるように設定され、該肉薄状部位にカバー体（本発明のカバー）９が面一状に設けられることによって、アームサポート２の第一、第二リンク枢結部Ｊ１、Ｊ２がカバー体９により表面側から覆われ、該部位の防水が計られている。
さらに、アームサポート２の図５における右側面には、第一、第二リンク枢結部Ｊ１、Ｊ２のあいだに位置して右側（下反転位置側）に向けて突出する腕状突起（本発明の突起体）１０が一体形成されていると共に、前記肉薄状部位の表面（カバー体９に覆われる部位の表面）には、第一、第二リンク枢結部Ｊ１、Ｊ２とのあいだに第一、第二誘導路１１、１２が上下に並列する状態で一体形成され、第二リンク枢結部Ｊ２の上方に第三誘導路１３が一体形成されている。これら各第一、第二、第三誘導路１１、１２、１３は、アームサポート２の表面を左右に横切る状態で表側に突出状に一体形成されるリブで構成されており、各誘導路１１、１２、１３はそれぞれ、上反転位置側が高く下反転位置側が低くなるよう左高右低状に傾斜していると共に、緩くＳ字を描くように湾曲して形成されている。
【０００９】
一方、前記カバー体９は、アームサポート２の表面を覆うべく、表面部９ａと、該表面部９ａの上端縁を除く外周縁部から裏面側に突出する側面部９ｂとを備えて形成されている。前記表面部９ａは、アームサポート２基端部と腕状突起１０とを覆蓋するよう右側に膨出部９ｃが形成されたものとなっている一方、内側面（裏面）にはアームサポート２に嵌着状に組込むための複数の係止爪が一体形成されている。これら係止爪は、アームサポート２の基端部の左右側面に沿うと共に、アームサポート２の長手方向に分散する状態で左右三対の係止爪１４、１５と、前記腕状突起１０の突出端部に沿って形成される係止爪１６との都合７個のものが形成されている。ここで、各係止爪１４、１５、１６は裏面側に突出する基部１４ａ、１５ａ、１６ａと、その先端部の爪部１４ｂ、１５ｂ、１６ｂとで構成されている。そして、アームサポート２の右側面に沿って形成される係止爪１５は、先端１５ｃがアームサポート２の裏面で枢結される第一、第二サブサポートリンク７、８に当接してリンク作動を損うようなことのない位置関係で配されている。
また、カバー体側面部９ｂは、上反転位置（左）側部位においては、各係止爪１４が近接して配され、かつ表裏方向長さが、係止爪部１４ｂの先端１４ｃよりも長い寸法設定（先端１４著りも裏面側に突出する状態）で形成されており、これによって防水機能を高めているが、下反転位置（右）側部位の側面部９ｂは、前記上反転位置側部位の表裏長さよりも短い寸法設定となっており、これによってカバー体側面部９ｂの先端縁部がアームサポート２の裏面で枢結される第一、第二サブサポートリンク７、８のリンク作動を邪魔することがないように構成されている。
【００１０】
そして、カバー体９は、左側部位の係止爪１４をアームサポート２の左側部位に嵌合させ、この状態で右側部位の係止爪１５および腕状突起１０に対向する係止爪１６の基部１５ａ、１６ａを弾性変形させながらアームサポート２の右側に押し込むことで、各爪部１４ｂ、１５ｂ、１６ｂがそれぞれアームサポート２裏面に達して係合し、しかしてアームサポート２に嵌着される設定となっている。このとき、カバー体９は、係止爪１４、１５によるアームサポート２側面に対する係合と共に、係止爪１６による腕状突起１０の先端部に対する係合がなされるようになっており、これによって、カバー体９は、アームサポート２の長手方向における複数の支持の他に、該支持部を結ぶ軌跡と略直交する位置関係の腕状突起１０による支持を受けることになって、カバー体９はアームサポート２と直交する方向には撓みにくい状態となって、より確実な脱落防止がなされる設定となっている。
さらに、カバー体９の内側面には、第一、第二リンク枢結部Ｊ１、Ｊ２に対向する部位にリング状のリブ９ｄが一体形成され、該リブ９ｄは、カバー体９をアームサポート２に嵌着したとき、後述するように、各ワイパ軸連結部Ｊ１、Ｊ２の表面に形成される表面環状凹部２ｄにシール材２ｅを介して嵌合組込みされる設定となっている。
【００１１】
さらにこれら係止爪１４、１５、１６のうち、アームサポート２右側面に沿って形成される係止爪１５は、アームサポート２に嵌着した状態でアームサポート２に形成される左高右低状の第一、第二、第三誘導路１１、１２、１３の右端部位に対向して配設されている。これによって、各誘導路１１、１２、１３により誘導された水は、誘導路１１、１２、１３よりも右側に位置する係止爪１５の基部１５ａに沿って窓面（裏面）側に向けて誘導されるが、該誘導された水は、アームサポート２の裏面よりも窓面側に突出する爪部１５ｂの先端面１５ｃから滴下する状態で窓面側に排出されるようになっており、このようにして、係止爪１５が本発明の滴下誘導片を兼用する設定となっている。さらに、腕状突起１０側に流れた水は、腕状突起１０に係合する係止爪１６の爪部１６ｂの先端１６ｃから滴下することになり、カバー体９の脱落防止機能を備える腕状突起１０は誘導路としても機能し、該腕状突起１０により誘導された水が係止爪１６を滴下誘導路として誘導され、窓面側に排出するように設定されている。
尚、カバー体９は、アームサポート２の段差部２ｃにより形成された肉薄状部位に装着することで、カバー体９の外側面９ａとアームサポート２上端部側の外側面とが面一状になるように寸法設定されている。
【００１２】
次に、第一、第二リンク枢結部Ｊ１、Ｊ２における防水構造について説明する。前記アームサポート２とカバー体９とのあいだから浸入した水は、前述したように、第一、第二、第三誘導路１１、１２、１３からカバー体係止爪１５、１６を経由して外部に滴下するように誘導されるが、それでも第一、第二リンク枢結部Ｊ１、Ｊ２側に流れ込む水や、裏面側（窓側）から浸入する水に対しては、次のように防水されている。
ここで、アームサポート２の基端部には表裏方向に貫通する貫通孔２ｆ、２ｇが穿設され、これら貫通孔２ｆ、２ｇに枢軸７ａ、８ａを回動自在に支持することによって、各枢軸７ａ、８ａに一体的に配された第一、第二サブサポートリンク７、８がアームサポート２に対して回動自在に連結される構成となっており、而して、前記第一、第二リンク枢結部Ｊ１、Ｊ２は構成されている。そして、これらアームサポート２の第一、第二リンク枢結部Ｊ１、Ｊ２はそれぞれ同様の構成となっているので、第一リンク枢結部Ｊ１についてのみ詳細を説明し、第二リンク枢結部Ｊ２についての説明は省略するが、図面における符号については第一リンク枢結部Ｊ１に準じて付されている。
【００１３】
前記アームサポート貫通孔２ｆの表面側外周部には、孔縁からは所定間隔を存する状態で前記表面環状凹部２ｄが凹設されており、該表面環状凹部２ｄに、前述したようにカバー体９のリング状のリブ９ｄがシール材２ｅと共に嵌合されることで、アームサポート２表面側の防水が計れるように設定されている。
一方、アームサポート貫通孔２ｆの裏面側外周部には、孔縁からは所定間隔を存し、底面が半球状の裏面凹部２ｈが表側に向けて凹設されている。また、第一サブサポートリンク７の連結部には、前記アームサポート裏面凹部２ｈに対向して先端側がラッパ状に拡開したラッパ状シール材１７の基端部が一体的に固着されている。そして、ラッパ状シール材１７は、アームサポート２に第一サブサポートリンク７を組込んだとき、ラッパ状シール材１７の先端部が裏面凹部２ｈに押し込まれ、ラッパ状シール材１７の先端部が弾性変形して半球状の裏面凹部２ｈの底面に沿って密着するように嵌め込まれることによって、アームサポート２の裏面側からの水の浸入を防止するように設定されている。さらに、ラッパ状シール材１７の筒内面には複数のリング状リブ１７ａが形成されており、裏面凹部２ｈに沿って密着するように弾性変形した状態では、リブ１７ａの先端部が裏面凹部２ｈに当接するようになっている。
尚、１８は、枢軸７ａとアームサポート貫通孔２ｆとのあいだに配される一対の鍔付きのブッシュである。
【００１４】
叙述の如く構成された本発明の実施の形態において、図示しないワイパモータの駆動に基づいてワイパ軸６が正逆揺動（回動）すると、ワイパアーム１は窓面を上下に変位する状態で払拭揺動し、これに基づいてワイパブレードが窓面の払拭を行うが、このとき、アームサポート２の第一、第二リンク枢結部Ｊ１、Ｊ２は、カバー体９により表面および側面部位が覆われており、これによって、第一段階の防水がなされる。
さらにこのものでは、アームサポート２の表面に、第一、第二リンク枢結部Ｊ１、Ｊ２の上側に位置して第一、第二、第三誘導路１１、１２、１３が形成されているため、ワイパアーム１が上反転位置に移動してアームサポート２側に水が流れ落ち、カバー体９とアームサポート２とのあいだに水が浸入したとして、該浸入した水は第一、第二、第三誘導路１１、１２、１３によりアームサポート２右端に誘導され、第一、第二リンク枢結部Ｊ１、Ｊ２側に回り込んで該第一、第二リンク枢結部Ｊ１、Ｊ２を被水させてしまうことを防止できる。
しかも、各誘導路１１、１２、１３右端側にはカバー体係止爪１５が対向して配設されているため、前記アームサポート２右端に集められるように誘導された水が係止爪基部１５ａ、１６ａに沿って窓面側に誘導され、該誘導された水が、アームサポート２の裏面から突出状に位置する係止爪先端１５ｃ、１６ｃを伝って積極的に裏面側（窓面側）の外部に排出されることになり、これによって第二段階の防水がなされる。
【００１５】
しかもこのものでは、第一、第二リンク枢結部Ｊ１、Ｊ２自体は、貫通孔２ｃの孔縁に形成の表面環状凹部２ｄに、カバー体のリング状リブ９ｄをシール材２ｅと共に嵌合することで表面側の防水がなされる一方、半球状の裏面凹部２ｆにラッパ状シール材１７を介装することで裏面側の防水がなされる結果、第三段階の防水も計れ、もって確実な防水構造とできる。
そのうえ、第一、第二リンク枢結部Ｊ１、Ｊ２の裏面側における防水は、第一サブサポートリンク７側に配されたラッパ状シール材１７の先端部分を、半球状の裏面凹部２ｆの底面に密着するように弾性変形させて組込んであるのでシール性能を高めることができると共に、ラッパ状シール材１７の筒内面に形成の複数のリング状リブ１７ａによるシール効果も得られることになって、確実な防水が計れる。
このように、本発明が実施されたものでは、上記のような防水構造が備えられている結果、仮令ワイパアーム１が上反転位置に達して上下方向を向く姿勢になったとしても、上下に並んで配される第一、第二リンク枢結部Ｊ１、Ｊ２側に水が浸入してしまうようなことがなく、第一、第二リンク枢結部Ｊ１、Ｊ２の防水保護が計れると共に、耐久性の向上が期待でき、製品の信頼性を高めることができる。
【００１６】
尚、本発明は前記実施の形態に限定されることは勿論なく、誘導路をカバー体の内側面に形成してもよい。また、アームサポート表面に形成される誘導路は、リンク枢支部に沿って半円状に形成したり、リンク枢支部を避けるように直線状に形成してもよく、さらには、前記実施の形態のように突状のリブで構成するのではなく、凹溝状の凹部に構成することもできる。
【図面の簡単な説明】
【図１】ワイパ装置の払拭範囲を示す一部省略パターン図である。
【図２】図２（Ａ）、（Ｂ）はそれぞれワイパアームの正面図、側面図である。
【図３】図３（Ａ）、（Ｂ）はそれぞれアームサポートの正面図、図３（Ａ）のＸ−Ｘ断面図である。
【図４】図３（Ａ）のＹ−Ｙ断面図である。
【図５】アームサポートのリンク作動を説明するパターン図である。
【図６】カバー体を装着した状態のアームサポートの背面図である。
【図７】図７（Ａ）、（Ｂ）、（Ｃ）はそれぞれカバー体の正面図、底面図、側面図である。
【図８】図８（Ａ）、（Ｂ）、（Ｃ）はそれぞれカバー体の背面図、図８（Ａ）のＸ−Ｘ断面図、Ｙ−Ｙ断面図である。
【図９】第一リンク枢結部の断面図である。
【符号の説明】
１    ワイパアーム
２    アームサポート
３    アームシャンク
６    ワイパ軸
７    第一サブサポートリンク
８    第二サブサポートリンク
９    カバー体
１０    腕状突起
１１    第一誘導路
１３    第三誘導路
１４    係止爪
１４ｂ    爪部
１４ｃ    先端
１６    係止爪
１７    ラッパ状シール材
Ｊ１    第一リンク枢結部
Ｊ２    第二リンク枢結部
【図１】
0004204134.tif 000002
【図２】
0004204134.tif 000003
【図３】
0004204134.tif 000004
【図４】
0004204134.tif 000005
【図５】
0004204134.tif 000006
【図６】
0004204134.tif 000007
【図７】
0004204134.tif 000008
【図８】
0004204134.tif 000009
【図９】
0004204134.tif 000010